(57)【特許請求の範囲】
【請求項１】
ステンレス製の有底筒状の内容器（２）を設け、内容器（２）の底部外壁に内容器内の液体を加熱する中央開口のヒータ（８）を設け、内容器（２）内の液温を感知してヒータをＯＮ、ＯＦＦする温度調節器（９）を設け、ヒータ（８）の下面を覆う中央開口の裏板（２３）を設け、裏板（２３）を覆って内容器（２）の底部外周壁にスポット溶接された中央開口の底当て板（２４）を設け、底当て板（２４）を覆う中央開口の底カバー（２８）を設け、内容器（２）を囲んだ外装ケース（３）の上端に肩部材（４）を設け、肩部材（４）の上端にベローズポンプ内蔵の蓋体（７）を着脱自在に装着し、外装ケース（３）の下端に底部材（５）を設け、底カバー（２８）と底部材（５）とをアングルにて固定してなる電気ポットに於いて、上記温度調節器（９）を底カバー（２８）の中央開口より挿通して、ヒータ（８）の中央開口外周端との間に隙間を設けた内容器（２）の底壁中央に当接し、温度調節器（９）の外周壁を挟みつける二つの支持片（３４）、（３４）を備え、かつ不熱伝導性、耐熱性の温度調節器用取付板（３３）を設け、この温度調節器用取付板（３３）を温度調節器（９）の両端子（３２）、（３２）間に挿通して、二つの支持片（３４）、（３４）間に温度調節器（９）の外周壁を挟み込んで、温度調節器（９）を取り付け、温度調節器用取付板（３３）の両端を底カバー（２８）に螺着して温度調節器（９）を押さえつけてなることを特徴とした電気ポット。
【発明の詳細な説明】
【０００１】
【産業上の利用分野】
本発明は内容器の底部中央外壁に温度調節器を取り付けた電気ポットに関するものである。
【０００２】
【従来の技術】
従来、電気ポットはステンレス製の有底筒状の内容器を設け、内容器の底部外壁に内容器内の液体を加熱するヒータを設け、内容器内の液温を感知してヒータをＯＮ、ＯＦＦする温度調節器を内容器の側壁底部に抑えつけていたために、
この温度調節器の位置よりも低い位置に内容器内の湯が残存すると温度調節器はヒータをＯＮ状態とし、沸騰状態を起こし非常に危険となると共にヒータが断線しやすくなる。
【０００３】
そこで、ステンレス製の有底筒状の内容器を設け、内容器の底部外壁に内容器内の液体を加熱する中央開口のヒータを設け、内容器内の液温を感知してヒータをＯＮ、ＯＦＦする温度調節器を設け、ヒータの下面を覆う中央開口の裏板を設け、裏板を覆って内容器の底部外周壁にスポット溶接された中央開口の底当て板を設け、底当て板を覆う中央開口の底カバーを設け、底カバーにて温度調節器を押えつけ、内容器を囲んだ外装ケースの上端に肩部材を設け、肩部材の上端にベローズポンプ内蔵の蓋体を着脱自在に装着し、外装ケースの下端に底部材を設け、底カバーと底部材とをアングルにて固定していた。
【０００４】
【発明が解決しようとする課題】
ところが、この種の電気ポットは底カバーにて温度調節器を押えつけ、この温度調節器を内容器の底部中央外壁に当接すると、ヒータの熱がこの底カバーを伝わって温度調節器の外周壁を加熱し、せつかく内容器内の液温を感知しても外周壁からの熱の影響を受けて正確な内容器内の液温を感知できず、内容器内の液体を十分加熱、保温することができないという問題点があった。
【０００５】
そこで、本発明はこのような従来の電気ポットが有していた課題を解決したものであって、構造が至って簡単で、内容器内の液温を確実に感知することができて、内容器内の液体を着実に加熱、保温することができることを目的とした電気ポットを提供するにある。
【０００６】
【課題を解決するための手段】
上記目的を達成するために、本発明の電気ポットはステンレス製の有底筒状の内容器２を設け、内容器２の底部外壁に内容器内の液体を加熱する中央開口のヒータ８を設け、内容器２内の液温を感知してヒータをＯＮ、ＯＦＦする温度調節器９を設け、ヒータ８の下面を覆う中央開口の裏板２３を設け、裏板２３を覆って内容器２の底部外周壁にスポット溶接された中央開口の底当て板２４を設け、底当て板２４を覆う中央開口の底カバー２８を設け、内容器２を囲んだ外装ケース３の上端に肩部材４を設け、肩部材４の上端にベローズポンプ内蔵の蓋体７を着脱自在に装着し、外装ケース３の下端に底部材５を設け、底カバー２８と底部材５とをアングルにて固定してなる電気ポットに於いて、上記温度調節器９を底カバー２８の中央開口より挿通して、ヒータ８の中央開口外周端との間に隙間を設けた内容器２の底壁中央に当接し、温度調節器９の外周壁を挟みつける二つの支持片３４、３４を備え、かつ不熱伝導性、耐熱性の温度調節器用取付板３３を設け、この温度調節器用取付板３３を温度調節器９の両端子３２、３２間に挿通して、二つの支持片３４、３４間に温度調節器９の外周壁を挟み込んで、温度調節器９を取り付け、温度調節器用取付板３３の両端を底カバー２８に螺着して温度調節器９を押さえつけてなる構成としている。
【０００７】
【発明の実施の形態】
以下、本発明の実施例について図に基づき説明する。
図中、図１は本発明実施例の縦断面図、図２は本発明実施例の内容器底部を示す平面図、図３は本発明実施例の要部を示す分解斜視図、図４は本発明実施例のヒータ取付状態を示す斜視図、図５は本発明実施例の裏板取付状態を示す斜視図、図６は本発明実施例の底当て板取付状態を示す斜視図、図７は本発明実施例の底カバー取付状態を示す斜視図、図８は本発明実施例の内容器底部のセット状態を示す斜視図、図９は本発明実施例の温度調節器用取付板の裏側を示す斜視図である。
【０００８】
電気ポット１は内容器２を囲んだ外装ケース３と、外装ケース３の上端に結合した肩部材４と、外装ケース３の下端に結合した底部材５と、肩部材４の上端に着脱自在に装着したベローズポンプ６内蔵の蓋体７と、内容器２内の液体を加熱するヒータ８と、内容器２内の液温を感知してヒータ８をＯＮ、ＯＦＦする温度調節器９と、内容器２内の液体を外部へ吐出する吐出機構１０とから構成されている。４４はハンドルである。
【０００９】
内容器２はステンレス等の金属材料にて有底筒状に形成しており、図１に示すように、上端開口を一旦内側にすぼめた後に外側に拡げた広口に形成し、上端に外側へ拡がった鍔部を設けている。この内容器２の鍔部は後述の肩部材４の受部の中央開口を形成する周壁下面にパッキンを介して密に当接している。
【００１０】
内容器２は図３に示すように、底部外壁に周端部１９を設け、この周端部１９に囲まれた中央に周端部１９よりもわずかに高いヒータ取付部２０と、ヒータ取付部２０に囲まれた中央にヒータ取付部２０よりもわずかに高い中央部２１とを設けている。内容器２の前方の周端部１９には内容器２内と連通する下部パイプ１１を垂設している。
【００１１】
外装ケース３は薄い金属製板をロール加工して略円筒状に形成して、内容器２との間に隙間を設けている。
この円筒状の外装ケース３は前面の一部を縦方向に切り欠いて、この切り欠いた部分に透明板を嵌め込み、後述の吐出機構１０の揚水パイプ４０を透明板を介して目視可能としている。
【００１２】
肩部材４は合成樹脂材料にて内容器２中央開口に連通する開口を備え、かつこの開口より上部外方へ拡がった受部と、受部前部より前方へ拡がって内部空洞の嘴部１３と、受部外周端より下方へ垂下した外周壁部とを一体成形している。肩部材４は開口を形成する周壁上端に内容器２の鍔部を当接している。肩部材４の嘴部１３は内部中空で上面を閉鎖し、下面を開口し嘴部カバー１４にて覆っている。
【００１３】
蓋体７はヒンジにて肩部材４の後端上方に枢支し、ロック装置にて肩部材４に着脱自在に装着しており、ベローズポンプ６と、ベローズポンプ６を押し上げているスプリング１５と、ベローズポンプ６の上部開口を開閉するブッシュ弁と、このブッシュ弁を押圧し、ベローズポンプ６内の空気を内容器２内に圧送する押板１６とを内蔵し、下面を下蓋１７にて覆い、上面を上蓋１８にて覆い、下蓋１７をステンレス製の覆板２２にて覆っている。
【００１４】
ヒータ８は図３、図４に示すように、内容器２のヒータ取付部２０に嵌め込まれる形状の薄い平板状に形成しており、中央に四角形状の開口を設けている。３１、３１はヒータ８の端子である。
【００１５】
ヒータ８の底面を覆う裏板２３は図３乃至図５に示すように、アルミニウム等の金属材料にてヒータ取付部２０に嵌め込まれる形状の薄い平板状に形成しており、中央に円形状の開口を設け、ヒータ８の端子３１側部分を切り欠いている。この裏板２３はヒータ８の底面からの放熱を防ぐ働きをしている。
【００１６】
ヒータ８と共に裏板２３を内容器２のヒータ取付部２０内に嵌め込んで固定する底当て板２４は金属材料にて図３乃至図６に示すように、内容器２の周端部１９に当接する外周部２５と、外周部２５の中央側で裏板２３を押さえつける当接部２６と、外周部２５より下方へ延びて適宜の間隔を隔てて外周部２５の四方に設けたアングル片２７、２７とを一体成形し、内容器２の周端部１９に外周部２５をスポット溶接している。
【００１７】
この底当て板２４は図３乃至図６に示すように、中央を開口し、ヒータ８の端子３１、３１を貫通する孔と、内容器２の下部パイプ１１を挿通する孔とを穿設している。
【００１８】
底当て板２４の当接部２６を覆う底カバー２８は金属材料にて図２及び図８に示すように、中央を開口し、ヒータ８の端子３１を通す切欠部２９を穿設しており、交差する対角線上の外周端にそれぞれ底当て板２４の各アングル片２７とビス止めされる固定片３０を一体形成している。この底カバー２８はヒータ８の熱が底カバー２８を通って逃げないように、底当て板２４との間に隙間を設けて底当て板２４を覆っている。
【００１９】
温度調節器９は小さな円筒状に形成したサーモスタットであって、スポット溶接された底当て板２４の中央の開口より内容器２の中央部２１に当接している。この温度調節器９は底面の対角線上の端に温度調節器用端子３２、３２を設けている。
【００２０】
この温度調節器９の径は内容器２の中央部２１及び重なり合うヒータ８の中央の開口、裏板２３の中央の開口、底当て板２４の中央の開口、底カバー２８の中央の開口よりも小さく各開口を形成する周壁との間に間隔を隔てて設置している。
【００２１】
この温度調節器９を内容器２の中央部２１に押し当て、固定する温度調節器用取付板３３は不熱伝導性で、耐熱性に優れたベークライト等の材料にて図３乃至図６に示すように、角棒状に形成しており、図９に示すように、裏側に温度調節器９の側壁を外側より支持する支持片３４、３４を設けている。
【００２２】
この温度調節器用取付板３３は二つの温度調節器用端子３２の間に通し、二つの支持片３４間に温度調節器９の外周壁を挟み込んだ状態で、両端を底カバー２８の中央の開口を挟んだ対角線上にビス止めしている。この温度調節器用取付板３３は不熱伝導性の材料で形成しているので、底カバー２８に伝わったヒータ８の熱を温度調節器９の外周壁に全く伝えることがない。又、温度調節器用取付板３３は耐熱性に優れているので、熱により変形することもない。
【００２３】
３５は碍子で、３６は温度ヒューズで図２に示すように、それぞれ底カバー２８にビス止めしている。
底カバー２８の固定片３０には図２に示すように、底部材５を取り付けるアングル３７をビス止めしている。
【００２４】
底部材５は外装ケース３の下端に当接するリング状の底輪３８と、底輪３８の開口を閉鎖する底板３９とからなっている。底板３９は金属材料にて薄い円板状に形成しており、外周を底輪３８に当接しね底ビスにて底カバー２８の固定片３０に取り付けたアングル３７に螺着して、底輪３８と肩部材４との間の内容器２並びに外装ケース３を緊縮している。
【００２５】
吐出機構１０は液量表示管を兼用した揚水パイプ４０と、この揚水パイプ４０と内容器２の下部パイプ１１とを連結するＵ字状の第１ホルダー４１と、内容器２内の液体を外部に吐出する吐出パイプ４２と、吐出パイプ４２と揚水パイプ４０との間にあって、転倒止水弁機構を備えた第２ホルダー４３とからなっている。
【００２６】
以上本発明の代表例と思われる実施例について説明したが、本発明は必ずしもこれらの実施例構造のみに限定されるものではなく、例えば外装ケースを省いて内容器を底のみ一重とした真空二重のステンレス製魔法びん等であっても、本発明にいう前記の構成要件を備え、かつ、本発明にいう目的を達成し、以下にいう効果を有する範囲内において適宜改変して実施することができるものである。
【００２７】
【発明の効果】
以上の説明から既に明らかなように、本発明にいうところの電気ポットはステンレス製の有底筒状の内容器を設け、内容器の底部外壁に内容器内の液体を加熱する中央開口のヒータを設け、内容器内の液温を感知してヒータをＯＮ、ＯＦＦする温度調節器を設け、ヒータの下面を覆う中央開口の裏板を設け、裏板を覆って内容器の底部外周壁にスポット溶接された中央開口の底当て板を設け、底当て板を覆う中央開口の底カバーを設け、内容器を囲んだ外装ケースの上端に肩部材を設け、肩部材の上端にベローズポンプ内蔵の蓋体を着脱自在に装着し、外装ケースの下端に底部材を設け、底カバーと底部材とをアングルにて固定してなる電気ポットに於いて、上記温度調節器を底カバーの中央開口より挿通して、ヒータの中央開口外周端との間に隙間を設けた内容器の底壁中央に当接し、温度調節器の外周壁を挟みつける二つの支持片を備え、かつ不熱伝導性、耐熱性の温度調節器用取付板を設け、この温度調節器用取付板を温度調節器の両端子間に挿通して、二つの支持片間に温度調節器の外周壁を挟み込んで、温度調節器を取り付け、温度調節器用取付板の両端を底カバーに螺着して温度調節器を押さえつけてなる構成としているものであるから、構造が至って簡単で、内容器内の液温を確実に感知することができて、内容器内の液体を着実に加熱、保温することができるという顕著な効果を期待することが出来るに至ったのである。
【図面の簡単な説明】
【図１】本発明実施例の縦断面図。
【図２】本発明実施例の内容器底部を示す平面図。
【図３】本発明実施例の要部を示す分解斜視図。
【図４】本発明実施例のヒータ取付状態を示す斜視図。
【図５】本発明実施例の裏板取付状態を示す斜視図。
【図６】本発明実施例の底当て板取付状態を示す斜視図。
【図７】本発明実施例の底カバー取付状態を示す斜視図。
【図８】本発明実施例の内容器底部のセット状態を示す斜視図。
【図９】本発明実施例の温度調節器用取付板の裏側を示す斜視図。
【符号の説明】
１…電気ポット
２…内容器
３…外装ケース
４…肩部材
７…蓋体
８…ヒータ
９…温度調節器
１０…吐出機構
２１…中央部
２３…裏板
２４…底当て板
２８…底カバー
３１…端子
３２…温度調節器用端子
３３…温度調節器用取付板
３４…支持片
【図１】
0004285918.tif 000002
【図２】
0004285918.tif 000003
【図３】
0004285918.tif 000004
【図４】
0004285918.tif 000005
【図５】
0004285918.tif 000006
【図６】
0004285918.tif 000007
【図７】
0004285918.tif 000008
【図８】
0004285918.tif 000009
【図９】
0004285918.tif 000010